(57)【要約】【課題】音声処理装置に設けられた操作部の操作により、第１ルーム以外に設置される機器へ出力される音声への影響を抑制すること。【解決手段】制御部２は、ＡＶアンプ１に設けられた操作ボタン５１によるＺｏｎｅ２ルームモードの機能をオンにする操作を受け付けた場合、その後のＺｏｎｅ２ルームモードに関連する操作ボタン５１の操作を受け付ける。一方、制御部２は、ＡＶアンプ１とは別に設けられたリモートコントローラ５２によるＺｏｎｅ２ルームモードの機能をオンにする操作を受け付けた場合、その後のＺｏｎｅ２ルームモードに関連する操作ボタン５１の操作を受け付けない。【選択図】図１
2015162789.tif 000002
【特許請求の範囲】
【請求項１】
第１ルームに設置される機器に音声信号を出力する第１ルームモード、第２ルームに設置される機器に音声信号を出力する第２ルームモードを有する音声処理装置であって、
自装置に設けられた第１操作部と、
自装置とは別に設けられた遠隔の第２操作部と、
前記第１操作部による前記第２ルームモードの機能をオンにする操作を受け付けた場合、その後の前記第２ルームモードに関連する前記第１操作部の操作を受け付け、
前記第２操作部による前記第２ルームモードの機能をオンにする操作を受け付けた場合、その後の前記第２ルームモードに関連する前記第１操作部の操作を受け付けない制御部と、
を備えることを特徴とする音声処理装置。
【請求項２】
前記制御部は、前記第２操作部による前記第２ルームモードの機能をオンにする操作を受け付けた場合、所定時間、その後の前記第２ルームモードに関連する前記第１操作部の操作を受け付けないことを特徴とする請求項１に記載の音声処理装置。
【請求項３】
前記第２ルームに設置される機器に音声信号を出力するための音声出力端子をさらに備え、
前記制御部は、前記第２操作部による前記第２ルームモードの機能をオンにする操作を受け付けた後、
所定時間にわたって、前記音声出力端子に出力される音声信号が所定値未満であった場合に、その後の前記第２ルームモードに関連する前記第１操作部の操作を受け付け、
少なくとも前記所定時間は、前記第２ルームモードに関連する前記第１操作部の操作を受け付けないことを特徴とする請求項１に記載の音声処理装置。
【請求項４】
前記制御部は、前記第２操作部による前記第２ルームモードの機能をオンにする操作を受け付けた後、
所定時間にわたって、前記第２ルームモードに関連する前記第２操作部の操作を受け付けなかった場合に、その後の前記第２ルームモードに関連する前記第１操作部の操作を受け付け、
少なくとも前記所定時間は、前記第２ルームモードに関連する前記第１操作部の操作を受け付けないことを特徴とする請求項１に記載の音声処理装置。
【発明の詳細な説明】
【技術分野】
【０００１】
本発明は、音声信号に増幅等の音声処理を行う音声処理装置に関する。
【背景技術】
【０００２】
音声処理装置として、例えば、音声信号に増幅等の処理を行ってスピーカーに出力するＡＶアンプが知られている。特許文献１に記載のＡＶアンプは、メインルーム（第１ルーム）に設置されるメインスピーカーに音声信号を出力するメインルームモード、Ｚｏｎｅ２ルーム（第２ルーム）に設置されるＺｏｎｅ２スピーカーに音声信号を出力するＺｏｎｅ２ルームモードを有している。ＡＶアンプとメインスピーカーとは、メインルームに設置され、Ｚｏｎｅ２スピーカーは、メインルームとは別のＺｏｎｅ２ルームに設置される。ユーザーは、ＡＶアンプに設けられた操作ボタン、ＡＶアンプとは別に設けられたリモートコントローラの操作により、Ｚｏｎｅ２ルームモードの機能をオン又はオフにすること等が可能である。
【先行技術文献】
【特許文献】
【０００３】
【特許文献１】特開２０１３−０４６２６５号公報
【発明の概要】
【発明が解決しようとする課題】
【０００４】
上述のように、メインルームモード、Ｚｏｎｅ２ルームモードを有するＡＶアンプにおいて、ＡＶアンプに設けられた操作ボタンと、ＡＶアンプとは別に設けられたリモートコントローラと、により、Ｚｏｎｅ２ルームモードに関連する操作を行うことができる場合、ＡＶアンプに設けられた操作ボタンにより、ユーザーが、Ｚｏｎｅ２ルームモードに関連する操作を行う可能性がある。そうすると、例えば、Ｚｏｎｅ２ルームに出力する音声を再生しているコンテンツ再生装置が変更される等してしまい、Ｚｏｎｅ２ルームで出力される音声に影響が出る。
【０００５】
本発明の目的は、音声処理装置に設けられた操作部の操作により、第１ルーム以外に設置される機器へ出力される音声への影響を抑制することである。
【課題を解決するための手段】
【０００６】
第１の発明の音声処理装置は、第１ルームに設置される機器に音声信号を出力する第１ルームモード、第２ルームに設置される機器に音声信号を出力する第２ルームモードを有する音声処理装置であって、自装置に設けられた第１操作部と、自装置とは別に設けられた遠隔の第２操作部と、前記第１操作部による前記第２ルームモードの機能をオンにする操作を受け付けた場合、その後の前記第２ルームモードに関連する前記第１操作部の操作を受け付け、前記第２操作部による前記第２ルームモードの機能をオンにする操作を受け付けた場合、その後の前記第２ルームモードに関連する前記第１操作部の操作を受け付けない制御部と、を備えることを特徴とする。
【０００７】
本発明では、制御部は、自装置とは別に設けられた遠隔の第２操作部による第２ルームモードの機能をオンにする操作を受け付けた場合、その後の第２ルームモードに関連する、自装置に設けられた第１操作部の操作を受け付けない。これにより、音声処理装置に設けられた操作部の操作により、第１ルーム以外に設置される機器へ出力される音声への影響を抑制することができる。
【０００８】
第２の発明の音声処理装置は、第１の発明の音声処理装置において、前記制御部は、前記第２操作部による前記第２ルームモードの機能をオンにする操作を受け付けた場合、所定時間、その後の前記第２ルームモードに関連する前記第１操作部の操作を受け付けないことを特徴とする。
【０００９】
本発明では、制御部は、遠隔の第２操作部による第２ルームモードの機能をオンにする操作を受け付けた場合、所定時間、その後の第２ルームモードに関連する第１操作部の操作を受け付けない。これにより、ユーザーは、所定時間後に、第１操作部により、第２ルームモードに関連する操作を行うことができる。
【００１０】
第３の発明の音声処理装置は、第１の発明の音声処理装置において、前記第２ルームに設置される機器に音声信号を出力するための音声出力端子をさらに備え、前記制御部は、前記第２操作部による前記第２ルームモードの機能をオンにする操作を受け付けた後、所定時間にわたって、前記音声出力端子に出力される音声信号が所定値未満であった場合に、その後の前記第２ルームモードに関連する前記第１操作部の操作を受け付け、少なくとも前記所定時間は、前記第２ルームモードに関連する前記第１操作部の操作を受け付けないことを特徴とする。
【００１１】
所定時間にわたって、音声出力端子に出力される音声信号が所定値未満であった場合、第２ルームに音声が出力されていない可能性が高いため、音声処理装置が、第２ルームモードに関連する操作を受け付け、操作に基づいた処理を行っても、第２ルームに設置される機器へ出力される音声への影響が出ない。このため、本発明では、制御部は、所定時間にわたって、音声出力端子に出力される音声信号が所定値未満であった場合に、その後の第２ルームモードに関連する第１操作部の操作を受け付ける。
【００１２】
第４の発明の音声処理装置は、第１の発明の音声処理装置において、前記制御部は、前記第２操作部による前記第２ルームモードの機能をオンにする操作を受け付けた後、所定時間にわたって、前記第２ルームモードに関連する前記第２操作部の操作を受け付けなかった場合に、その後の前記第２ルームモードに関連する前記第１操作部の操作を受け付け、少なくとも前記所定時間は、前記第２ルームモードに関連する前記第１操作部の操作を受け付けないことを特徴とする。
【００１３】
所定時間にわたって、第２ルームモードに関連する第２操作部の操作がない場合、第２ルームで音声が聴取されている可能性が低いため、音声処理装置が、第２ルームモードに関連する操作を受け付け、操作に基づいた処理を行っても、第２ルームに設置される機器へ出力される音声への影響が出ない。このため、本発明では、制御部は、所定時間にわたって、第２ルームモードに関連する第２操作部の操作を受け付けなかった場合に、その後の第２ルームモードに関連する第１操作部の操作を受け付ける。
【発明の効果】
【００１４】
本発明によれば、音声処理装置に設けられた操作部の操作により、第１ルーム以外に設置される機器へ出力される音声への影響を抑制することができる。
【図面の簡単な説明】
【００１５】
【図１】本発明の実施形態に係るＡＶアンプの構成を示すブロック図である。
【図２】Ｚｏｎｅ２キーロックフラグを説明するための図である。
【図３】操作ボタンによるＺｏｎｅ２ルームモードの機能をオンにする操作があった場合のＡＶアンプの処理動作を示すフローチャートである。
【図４】リモートコントローラによるＺｏｎｅ２ルームモードの機能をオンにする操作があった場合のＡＶアンプの処理動作を示すフローチャートである。
【図５】Ｚｏｎｅ２ルームモードに関連する操作ボタンの操作があった場合のＡＶアンプの処理動作を示すフローチャートである。
【図６】ＡＶアンプが定期的に行うＺｏｎｅ２キーロックフラグ自動解除処理を示すフローチャートである。
【発明を実施するための形態】
【００１６】
以下、本発明の実施形態について説明する。図１は、本発明の第１実施形態に係るＡＶアンプ１（音声処理装置）の構成を示すブロック図である。ＡＶアンプ１は、例えば、コンテンツ再生装置であるＤＶＤプレーヤー１００ａ、ＣＤプレーヤー１００ｂ、ＴＶ受信機１００ｃ、ＢＤ（Blu-ray（登録商標） Disc）プレーヤー１００ｄと接続されている。また、ＡＶアンプ１は、メインスピーカー２００、ＡＶアンプ３００と接続されている。ＡＶアンプ１、ＤＶＤプレーヤー１００ａ、ＣＤプレーヤー１００ｂ、ＴＶ受信機１００ｃ、ＢＤプレーヤー１００ｄ、メインスピーカー２００は、メインルーム（第１ルーム）に設置されている。ＡＶアンプ３００は、メインルームとは別の部屋であるＺｏｎｅ２ルーム（第２ルーム）に設置されている。ＡＶアンプ１は、メインルームに設置されたＤＶＤプレーヤー１００ａ等から入力された音声信号に増幅等の音声処理を行って、メインスピーカー２００に出力する機能を有する。また、ＡＶアンプ１は、メインルームに設置されたＤＶＤプレーヤー１００ａ等から入力された音声信号を、Ｚｏｎｅ２ルームに設置されたＡＶアンプ３００に出力する機能を有する。ＡＶアンプ３００は、ＡＶアンプ１から入力された音声信号に増幅等の音声処理を行って、Ｚｏｎｅ２ルームに設置されているＺｏｎｅ２スピーカー４００に出力する。
【００１７】
以下、ＡＶアンプ１について説明する。なお、ＡＶアンプ１は、音声信号の他、入力された映像信号を図示しないディスプレイに出力することが可能であるが、説明の簡単のため、入力された音声信号をメインスピーカー２００、ＡＶアンプ３００に出力する構成のみについて説明する。図１に示すように、ＡＶアンプ１は、制御部２、記憶部３、表示部４、操作部５、アナログ音声入力端子６（６ａ〜６ｃ）、デジタル音声入力端子７、ＤＳＰ（Digital Signal Processor）８、Ｄ／Ａコンバータ９、セレクタ１０、ボリューム調整回路１１、パワーアンプ回路１２、スピーカー端子１３、アナログ音声出力端子１４等を備えている。
【００１８】
制御部２は、記憶部３に記憶された制御プログラムに従って、ＡＶアンプ１を構成する各部を制御する。制御部２の機能については後述する。記憶部３は、制御部２の主メモリとして機能するＲＡＭ（Random Access Memory）、制御プログラムを記憶するＲＯＭ（Read Only Memory）から構成されている。なお、記憶部３は、例示する構成に限られず、フラッシュメモリやＨＤＤ（Hard Disk Drive）等を含んでいてもよい。
【００１９】
表示部４は、設定画面、音量レベルなどを表示するものであり、ＬＣＤ（液晶ディスプレイ）や蛍光表示管等である。操作部５は、ユーザー操作を受け付けるためのものであり、ＡＶアンプ１の筐体に設けられた操作ボタン５１やリモートコントローラ５２である。リモートコントローラ５２は、ＡＶアンプ１とは別に設けられた遠隔の操作部である。ユーザーは、操作部５を操作することにより、ＤＶＤプレーヤー１００ａ、ＣＤプレーヤー１００ｂ、テレビ受信機１００ｃ、ＢＤプレーヤー１００ｄから入力される音声信号を、メインスピーカー２００、ＡＶアンプ３００のいずれに出力するかをＡＶアンプ１に指示することが可能である。なお、操作部５は、Ｚｏｎｅ２ルームに設置された赤外線受光部を有しており、ユーザーは、リモートコントローラ５２により、Ｚｏｎｅ２ルームからＡＶアンプ１を操作することが可能である。
【００２０】
アナログ音声入力端子６ａ〜６ｃには、それぞれ、ＤＶＤプレーヤー１００ａ、ＣＤプレーヤー１００ｂ、ＴＶ受信機１００ｃが接続されており、接続されているコンテンツ再生装置１００が出力するアナログ音声信号が入力される。デジタル音声入力端子７には、ＢＤプレーヤー１００ｄが接続されており、ＢＤプレーヤー１００ｄが出力するデジタル音声信号が入力される。なお、ＡＶアンプ１が備えるアナログ音声入力端子６、デジタル音声入力端子７の数は、本実施形態で例示する数に限られない。
【００２１】
ＤＳＰ８は、デジタル音声入力端子７から入力されるデジタル音声信号に対して音場処理等を実行する。Ｄ／Ａコンバータ９は、ＤＳＰ８により音場処理等が実行されたデジタル音声信号をアナログ音声信号にＤ／Ａ変換する。
【００２２】
セレクタ１０は、制御部２からの指示に従って、アナログ音声入力端子６ａ〜６ｃ（ＤＶＤプレーヤー１００ａ、ＣＤプレーヤー１００ｂ、ＴＶ受信機１００ｃ）、デジタル音声入力端子７（ＢＤプレーヤー１００ｄ）と、スピーカー端子１３（メインスピーカー２００）、アナログ音声出力端子１４（ＡＶアンプ３００）と、を接続する。ここで、コンテンツ再生装置１００から入力される音声信号をスピーカー端子１３（メインスピーカー２００）に出力するモードが、メインルームモード（第１ルームモード）である。すなわち、メインルームモードは、メインルームに設置されるメインスピーカー２００に音声信号を出力するモードである。また、コンテンツ再生装置１００から入力される音声信号をアナログ音声出力端子１４に出力するモードが、Ｚｏｎｅ２ルームモード（第２ルームモード）である。すなわち、Ｚｏｎｅ２ルームモードは、Ｚｏｎｅ２ルームに設置されるＡＶアンプ３００に音声信号を出力するモードである。
【００２３】
ボリューム調整回路１１は、セレクタ１０によって選択された音声入力端子６、７（コンテンツ再生装置１００）から入力されたアナログ音声信号のボリュームを調整し、パワーアンプ回路１２に出力する。ボリューム調整回路１１は、制御部２が決定したボリュームにアナログ音声信号を調整する。パワーアンプ回路１２は、ボリューム調整回路１１から出力されたアナログ音声信号を増幅し、スピーカー端子１３に出力する。スピーカー端子１３には、メインスピーカー２００が接続されており、スピーカー端子１３からメインスピーカー２００にアナログ音声信号が出力される。メインスピーカー２００は、ＡＶアンプ１から入力されたアナログ音声信号に基づいて、音声を出力する。
【００２４】
アナログ音声出力端子１４（音声出力端子）には、ＡＶアンプ３００が接続されている。セレクタ１０によって選択された音声入力端子６、７（コンテンツ再生装置１００）から入力されたアナログ音声信号は、アナログ音声出力端子１４からＡＶアンプ３００に出力される。
【００２５】
制御部２の機能について説明する。制御部２は、操作部５によるＺｏｎｅ２ルームモードの機能をオンにする操作を受け付ける。制御部２は、操作部５によるＺｏｎｅ２ルームモードの機能をオンにする操作を受け付けると、Ｚｏｎｅ２ルームモードの機能をオンにする。具体的には、制御部２は、記憶部３にＺｏｎｅ２ルームモードの機能をオンとする設定を記憶し、表示部４に「Ｚｏｎｅ２」等を表示する。また、制御部２は、操作部５によるＺｏｎｅ２ルームモードの機能をオフにする操作を受け付ける。制御部２は、操作部５によるＺｏｎｅ２ルームモードの機能をオフにする操作を受け付けると、Ｚｏｎｅ２ルームモードの機能をオフにする。具体的には、制御部２は、記憶部３にＺｏｎｅ２ルームモードの機能をオフとする設定を記憶し、表示部４の「Ｚｏｎｅ２」の表示を消去する。
【００２６】
また、制御部２は、操作部５によるＺｏｎｅ２ルームモードに関連する操作を受け付ける。Ｚｏｎｅ２ルームモードに関連する操作としては、セレクタ１０に選択させる音声入力端子６、７（コンテンツ再生装置１００）の指示等である。また、Ｚｏｎｅ２ルームモードに関連する操作には、Ｚｏｎｅ２ルームモードの機能をオフにする操作も含まれる。
【００２７】
ここで、操作部５の操作ボタン５１、リモートコントローラ５２の双方に、Ｚｏｎｅ２ルームモードの機能をオン又はオフにするためのボタン、Ｚｏｎｅ２ルームモードに関連する操作をするためのボタンが設けられている。本実施形態では、制御部２は、操作ボタン５１によるＺｏｎｅ２ルームモードの機能をオンにする操作を受け付けた場合は、その後のＺｏｎｅ２ルームモードに関連する操作ボタン５１の操作を受け付ける。一方、制御部２は、リモートコントローラ５２によるＺｏｎｅ２ルームモードの機能をオンにする操作を受け付けた場合、その後のＺｏｎｅ２ルームモードに関連する操作ボタン５１の操作を受け付けない。
【００２８】
具体的には、制御部２は、図２に示すように、記憶部３に「Ｚｏｎｅ２キーロックフラグ」を記憶しており、リモートコントローラ５２によるＺｏｎｅ２ルームモードの機能をオンにする操作を受け付けた場合、「Ｚｏｎｅ２キーロックフラグ」を「オン」にする。制御部２は、「Ｚｏｎｅ２キーロックフラグ」が「オン」である場合は、Ｚｏｎｅ２ルームモードに関連する操作ボタン５１の操作を受け付けない。また、制御部２は、操作ボタン５１によるＺｏｎｅ２ルームモードの機能をオンにする操作を受け付けた場合、「Ｚｏｎｅ２キーロックフラグ」を「オフ」にする。制御部２は、「Ｚｏｎｅ２キーロックフラグ」が「オフ」である場合は、Ｚｏｎｅ２ルームモードに関連する操作ボタン５１の操作を受け付ける。
【００２９】
また、本実施形態では、制御部２は、リモートコントローラ５２によるＺｏｎｅ２ルームモードの機能をオンにする操作を受け付けた場合、所定時間、その後のＺｏｎｅ２ルームモードに関連する操作ボタン５１の操作を受け付けない。具体的には、制御部２は、リモートコントローラ５２によるＺｏｎｅ２ルームモードの機能をオンにする操作を受け付けた場合、「Ｚｏｎｅ２キーロックフラグ」を「オン」にする。制御部２は、所定時間経過後、「Ｚｏｎｅ２キーロックフラグ」を「オフ」にする。この後、制御部２は、Ｚｏｎｅ２ルームモードに関連する操作ボタン５１の操作があれば、その操作を受け付ける。
【００３０】
以下、操作ボタン５１によるＺｏｎｅ２ルームモードの機能をオンにする操作があった場合のＡＶアンプ１の処理動作を、図３に示すフローチャートに基づいて説明する。制御部２は、操作ボタン５１によるＺｏｎｅ２ルームモードの機能をオンにする操作があったか否かを判断する（Ｓ１）。制御部２は、操作ボタン５１によるＺｏｎｅ２ルームモードの機能をオンにする操作がないと判断している間は（Ｓ１：Ｎｏ）、Ｓ１の処理を繰り返し実行する。制御部２は、操作ボタン５１によるＺｏｎｅ２ルームモードの機能をオンにする操作があったと判断した場合（Ｓ１：Ｙｅｓ）、記憶部３の「Ｚｏｎｅ２キーロックフラグ」を「オフ」にする（Ｓ２）。次に、制御部２は、Ｚｏｎｅ２ルームモードの機能をオンにする操作を受け付け、Ｚｏｎｅ２ルームモードの機能をオンにする（Ｓ３）。
【００３１】
次に、リモートコントローラ５２によるＺｏｎｅ２ルームモードの機能をオンにする操作があった場合のＡＶアンプ１の処理動作を、図４に示すフローチャートに基づいて説明する。制御部２は、リモートコントローラ５２によるＺｏｎｅ２ルームモードの機能をオンにする操作があったか否かを判断する（Ｓ１１）。制御部２は、リモートコントローラ５２によるＺｏｎｅ２ルームモードの機能をオンにする操作がないと判断している間は（Ｓ１１：Ｎｏ）、Ｓ１１の処理を繰り返し実行する。制御部２は、リモートコントローラ５２によるＺｏｎｅ２ルームモードの機能をオンにする操作があったと判断した場合（Ｓ１１：Ｙｅｓ）、記憶部３の「Ｚｏｎｅ２キーロックフラグ」を「オン」にする（Ｓ１２）。次に、制御部２は、Ｚｏｎｅ２ルームモードの機能をオンにする操作を受け付け、Ｚｏｎｅ２ルームモードの機能をオンにする（Ｓ１３）。次に、制御部２は、ＲＡＭのソフトウェアタイマーをスタートさせる（Ｓ１４）。次に、制御部２は、ソフトウェアタイマーに基づいて、所定時間経過しているか否かを判断する（Ｓ１５）。制御部２は、所定時間経過していないと判断している間は（Ｓ１５：Ｎｏ）、Ｓ１５の処理を繰り返し実行する。制御部２は、所定時間経過していると判断した場合（Ｓ１５：Ｙｅｓ）、記憶部３の「Ｚｏｎｅ２キーロックフラグ」を「オフ」にする（Ｓ１６）。
【００３２】
次に、Ｚｏｎｅ２ルームモードに関連する操作ボタン５１の操作があった場合のＡＶアンプ１の処理動作を、図５に示すフローチャートに基づいて説明する。制御部２は、Ｚｏｎｅ２ルームモードに関連する操作ボタン５１の操作があったか否かを判断する（Ｓ２１）。制御部２は、Ｚｏｎｅ２ルームモードに関連する操作ボタン５１の操作がないと判断している間は（Ｓ２１：Ｎｏ）、Ｓ２１の処理を繰り返し実行する。制御部２は、Ｚｏｎｅ２ルームモードに関連する操作ボタン５１の操作があったと判断した場合（Ｓ２１：Ｙｅｓ）、記憶部３の「Ｚｏｎｅ２キーロックフラグ」が「オン」であるか否かを判断する（Ｓ２２）。制御部２は、記憶部３の「Ｚｏｎｅ２キーロックフラグ」が「オン」でない、すなわち、「オフ」であると判断した場合（Ｓ２２：Ｎｏ）、Ｚｏｎｅ２ルームモードに関連する操作ボタン５１の操作を受け付け、操作に基づいた処理を実行する（Ｓ２３）。一方、制御部２は、記憶部３の「Ｚｏｎｅ２キーロックフラグ」が「オン」であると判断した場合（Ｓ２２：Ｙｅｓ）、Ｚｏｎｅ２ルームモードに関連する操作ボタン５１の操作を受け付けず、処理を終了する。
【００３３】
以上説明したように、本実施形態では、制御部２は、ＡＶアンプ１とは別に設けられたリモートコントローラ５２によるＺｏｎｅ２ルームモードの機能をオンにする操作を受け付けた場合、その後のＺｏｎｅ２ルームモードに関連する、ＡＶアンプ１に設けられた操作ボタン５１の操作を受け付けない。これにより、ＡＶアンプ１に設けられた操作ボタン５１の操作により、メインルーム以外に設置されるＡＶアンプ３００へ出力される音声への影響を抑制することができる。
【００３４】
また、本実施形態では、制御部２は、リモートコントローラ５２によるＺｏｎｅ２ルームモードの機能をオンにする操作を受け付けた場合、所定時間、その後のＺｏｎｅ２ルームモードに関連する操作ボタン５１の操作を受け付けない。これにより、ユーザーは、所定時間後に、操作ボタン５１により、Ｚｏｎｅ２ルームモードに関連する操作を行うことができる。
【００３５】
次に、本発明の第２実施形態について説明する。第２実施形態では、制御部２は、リモートコントローラ５２によるＺｏｎｅ２ルームモードの機能をオンにする操作を受け付けた後、所定時間にわたって、アナログ音声出力端子１４に出力されるアナログ音声信号がゼロである場合に、Ｚｏｎｅ２ルームモードに関連する操作ボタン５２の操作を受け付ける。また、制御部２は、リモートコントローラ５２によるＺｏｎｅ２ルームモードの機能をオンにする操作を受け付けた後、少なくとも所定時間は、Ｚｏｎｅ２ルームモードに関連する操作ボタン５１の操作を受け付けない。
【００３６】
具体的には、制御部２は、リモートコントローラ５２によるＺｏｎｅ２ルームモードの機能をオンにする操作を受け付けた場合、「Ｚｏｎｅ２キーロックフラグ」を「オン」にする。このとき、制御部２は、ＲＡＭのソフトウェアタイマーをスタートさせる。ここで、制御部２のＡ／Ｄポートには、アナログ音声出力端子１４に出力されるアナログ音声信号が供給されるようになっている（図１参照。）。制御部２は、Ａ／Ｄポートに供給されるアナログ音声信号をＡ／Ｄ変換し、アナログ音声出力端子１４に出力されるアナログ音声信号がゼロ、すなわち、アナログ音声出力端子１４にアナログ音声信号が出力されているか否かを判断する。制御部２は、このような判断を定期的に行い、所定時間にわたって、アナログ音声出力端子１４に出力されるアナログ音声信号がゼロである場合に、「Ｚｏｎｅ２キーロックフラグ」を「オフ」にする（Ｚｏｎｅ２キーロック自動解除）。そして、制御部２は、Ｚｏｎｅ２ルームモードに関連する操作ボタン５１の操作があれば、その操作を受け付ける。
【００３７】
上述のように、制御部２は、リモートコントローラ５２によるＺｏｎｅ２ルームモードの機能をオンにする操作を受け付けた場合、「Ｚｏｎｅ２キーロックフラグ」を「オン」にし、所定時間にわたって、アナログ音声出力端子１４に出力されるアナログ音声信号がゼロである場合は、「Ｚｏｎｅ２キーロックフラグ」を「オフ」にする。従って、少なくとも、所定時間は、「Ｚｏｎｅ２キーロックフラグ」は「オン」である。このため、制御部２は、少なくとも所定時間は、Ｚｏｎｅ２ルームモードに関連する操作ボタン５１の操作を受け付けない。
【００３８】
さらに、制御部２は、リモートコントローラ５２によるＺｏｎｅ２ルームモードの機能をオンにする操作を受け付けた後、所定時間にわたって、Ｚｏｎｅ２ルームモードに関連するリモートコントローラ５２の操作を受け付けなかった場合に、その後のＺｏｎｅ２ルームモードに関連する操作ボタン５１の操作を受け付ける。また、制御部２は、リモートコントローラ５２によるＺｏｎｅ２ルームモードの機能をオンにする操作を受け付けた後、少なくとも所定時間は、Ｚｏｎｅ２ルームモードに関連する操作ボタン５１の操作を受け付けない。
【００３９】
具体的には、制御部２は、リモートコントローラ５２によるＺｏｎｅ２ルームモードの機能をオンにする操作を受け付けた場合、「Ｚｏｎｅ２キーロックフラグ」を「オン」にする。このとき、制御部２は、ＲＡＭのソフトウェアタイマーをスタートさせる。制御部２は、ソフトウェアタイマーに基づいて、所定時間にわたって、Ｚｏｎｅ２ルームモードに関連するリモートコントローラ５２の操作を受け付けなかったと判断した場合に、「Ｚｏｎｅ２キーロックフラグ」を「オフ」にする（Ｚｏｎｅ２キーロック自動解除）。そして、制御部２は、Ｚｏｎｅ２ルームモードに関連する操作ボタン５１の操作があれば、その操作を受け付ける。
【００４０】
上述のように、制御部２は、リモートコントローラ５２によるＺｏｎｅ２ルームモードの機能をオンにする操作を受け付けた場合、「Ｚｏｎｅ２キーロックフラグ」を「オン」にし、所定時間にわたって、Ｚｏｎｅ２ルームモードに関連するリモートコントローラ５２の操作を受け付けなかった場合は、「Ｚｏｎｅ２キーロックフラグ」を「オフ」にする。従って、少なくとも、所定時間は、「Ｚｏｎｅ２キーロックフラグ」は「オン」である。このため、制御部２は、少なくとも所定時間は、Ｚｏｎｅ２ルームモードに関連する操作ボタン５１の操作を受け付けない。
【００４１】
以下、ＡＶアンプ１が定期的に行うＺｏｎｅ２キーロックフラグ自動解除処理を、図６に示すフローチャートに基づいて説明する。制御部２は、記憶部３の「Ｚｏｎｅ２キーロックフラグ」が「オン」であるか否かを判断する（Ｓ３１）。制御部２は、記憶部３の「Ｚｏｎｅ２キーロックフラグ」が「オン」であると判断した場合（Ｓ３１：Ｙｅｓ）、リモートコントローラ５２によるＺｏｎｅ２ルームモードに関連する操作があったか否かを判断する（Ｓ３２）。制御部２は、リモートコントローラ５２によるＺｏｎｅ２ルームモードに関連する操作がないと判断した場合（Ｓ３２：Ｎｏ）、アナログ音声出力端子１４に出力されているアナログ音声信号がゼロであるか否かを判断する（Ｓ３３）。
【００４２】
制御部２は、リモートコントローラ５２によるＺｏｎｅ２ルームモードに関連する操作があったと判断した場合（Ｓ３２：Ｙｅｓ）、又は、アナログ音声出力端子１４に出力されているアナログ音声信号がゼロでないと判断した場合（Ｓ３３：Ｎｏ）、ソフトウェアタイマーをリセットする（Ｓ３４）。従って、このときからソフトウェアタイマーが再スタートするため、少なくともこのときから所定時間内は、「Ｚｏｎｅ２キーロックフラグ」は、「オフ」とならない。すなわち、制御部２は、このときから少なくとも所定時間内は、操作ボタン５１によるＺｏｎｅ２ルームモードに関連する操作を受け付けない。
【００４３】
制御部２は、アナログ音声出力端子１４に出力されているアナログ音声信号がゼロであると判断した場合（Ｓ３３：Ｙｅｓ）、ソフトウェアタイマーの計測時間が、所定時間を経過しているか否かを判断する（Ｓ３５）。制御部２は、ソフトウェアタイマーの計測時間が、所定時間を経過していると判断した場合（Ｓ３５：Ｙｅｓ）、記憶部３の「Ｚｏｎｅ２キーロックフラグ」を「オフ」にする（Ｓ３６）。この後は、制御部２は、操作ボタン５１によるＺｏｎｅ２ルームモードに関連する操作を受け付ける。
【００４４】
制御部２は、記憶部３の「Ｚｏｎｅ２キーロックフラグ」が「オン」でない、すなわち、「オフ」であると判断した場合（Ｓ３１：Ｎｏ）、又は、ソフトウェアタイマーの計測時間が、所定時間を経過していないと判断した場合（Ｓ３４：Ｎｏ）、処理を終了する。
【００４５】
ここで、所定時間にわたって、アナログ音声出力端子１４に出力される音声信号がゼロであった場合、Ｚｏｎｅ２ルームに音声が出力されていない可能性が高いため、ＡＶアンプ１が、Ｚｏｎｅ２ルームモードに関連する操作を受け付け、操作に基づいた処理を行っても、Ｚｏｎｅ２ルームに設置されるＡＶアンプ１へ出力される音声への影響が出ない。このため、本実施形態では、制御部２は、所定時間にわたって、アナログ音声出力端子１４に出力される音声信号がゼロであった場合に、その後のＺｏｎｅ２ルームモードに関連する操作ボタン５１の操作を受け付ける。
【００４６】
また、所定時間にわたって、Ｚｏｎｅ２ルームモードに関連するリモートコントローラの操作がない場合、Ｚｏｎｅ２ルームで音声が聴取されている可能性が低いため、ＡＶアンプ１が、Ｚｏｎｅ２ルームモードに関連する操作を受け付け、操作に基づいた処理を行っても、Ｚｏｎｅ２ルームに設置されるＡＶアンプ３００へ出力される音声への影響が出ない。このため、本実施形態では、制御部２は、所定時間にわたって、Ｚｏｎｅ２ルームモードに関連するリモートコントローラ５２の操作を受け付けなかった場合に、その後のＺｏｎｅ２ルームモードに関連する操作ボタン５１の操作を受け付ける。
【００４７】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４８】
上述の第２実施形態においては、制御部２は、所定時間にわたって、アナログ音声出力端子１４に出力される音声信号がゼロであった場合に、Ｚｏｎｅ２ルームモードに関連する操作ボタン５１の操作を受け付けるようになっている。これに限らず、制御部２は、所定時間にわたって、アナログ音声出力端子１４に出力される音声信号が所定値未満であった場合に、Ｚｏｎｅ２ルームモードに関連する操作ボタン５１の操作を受け付けるようになっていてもよい。
【００４９】
上述の実施形態においては、ＡＶアンプ１は、メインルームモード、Ｚｏｎｅ２ルームモードを有している場合について説明した。これに限らず、ＡＶアンプ１は、アナログ音声出力端子を２以上有しており、メインルーム以外の２以上のルームに設置されるＡＶアンプに音声信号を出力するモード（Ｚｏｎｅ３ルームモード）を有していてもよい。
【００５０】
上述の実施形態においては、ＡＶアンプ１は、Ｚｏｎｅ２ルームモードにおいては、コンテンツ再生装置１００から入力される音声信号を増幅等せずに、アナログ音声出力端子１４に出力する。これに限らず、ＡＶアンプは、アナログ音声出力端子１４に替えて、スピーカー端子を有しており、スピーカー端子にスピーカーが接続されているような場合、音声信号を増幅等してスピーカーに出力するようになっていてもよい。
【産業上の利用可能性】
【００５１】
本発明は、音声信号に増幅等の音声処理を行う音声処理装置に好適に採用され得る。
【符号の説明】
【００５２】
１  ＡＶアンプ（音声処理装置）
２  制御部
３  記憶部
５  操作部
５１  操作ボタン（第１操作部）
５２  リモートコントローラ（第２操作部）
１４  アナログ音声出力端子（音声出力端子）
２００  メインスピーカー（機器）
３００  ＡＶアンプ（機器）
【図１】
2015162789.tif 000003
【図２】
2015162789.tif 000004
【図３】
2015162789.tif 000005
【図４】
2015162789.tif 000006
【図５】
2015162789.tif 000007
【図６】
2015162789.tif 000008